(57)【要約】【課題】各種複数のデータ放送を受信機の表示領域の縦横の比率に合わせて表示することができるデータ放送表示システムを提供する。【解決手段】データ放送表示システム１０においてデータ送信装置１２は、放送受信機１７の第１表示領域においてデータ放送を構成する文字と画像とを重ね合わせたときにそれらの重ね合わせ位置に誤差が生じないように、第１表示領域の縦横の比率に合わせて文字のフォントサイズを選択しつつそのフォントサイズを受信機１７に送信するフォントサイズ送信手段と、第１表示領域の縦横の比率に合わせて画像を拡大または縮小しつつその画像を受信機１７に送信する画像送信手段とを有し、受信機１７は、データ送信装置１２から受信したフォントサイズに対応した文字と出力装置１２から受信した画像とを重ね合わせて第１表示領域に表示する。【選択図】図１
2010287921.tif 000002
【特許請求の範囲】
【請求項１】
各種のデータを送信するデータ送信装置と、前記データ送信装置から送信されたデータをデータ放送として受信しつつ、所定の表示画面に部分的に割り当てられた少なくとも１つの第１表示領域に前記データ放送を表示する受信機とを備えたデータ放送表示システムにおいて、
前記データ送信装置が、前記受信機の第１表示領域において前記データ放送を構成する前記文字と前記画像とを重ね合わせたときにそれらの重ね合わせ位置に誤差が生じないように、前記受信機の第１表示領域の縦横の比率に合わせて前記文字のフォントサイズを選択しつつそのフォントサイズを前記受信機に送信するフォントサイズ送信手段と、前記受信機の第１表示領域の縦横の比率に合わせて前記画像を拡大または縮小しつつその画像を前記受信機に送信する画像送信手段とを有し、前記受信機が、前記データ送信装置から受信したフォントサイズに対応した文字と該データ放送出力装置から受信した画像とを重ね合わせて前記第１表示領域に表示するデータ放送表示システム。
【請求項２】
前記受信機の表示画面が、１セグメント用表示画面と１２セグメント用表示画面とのいずれかである請求項１記載のデータ放送表示システム。
【請求項３】
前記受信機が、前記データ放送と独自放送と一般放送とを受信かつ放送可能な放送受信機であり、前記データ送信装置が、前記放送受信機の表示画面に前記第１表示領域を割り当てる第１表示領域割当手段と、前記放送受信機の表示画面に前記独自放送と前記一般放送とのうちの少なくとも一方を表示する第２表示領域を割り当てる第２表示領域割当手段とを含み、前記放送受信機が、前記第１表示領域に前記データ放送を表示し、前記第２表示領域に前記独自放送と前記一般放送とのうちの少なくとも一方を表示する請求項１または請求項２に記載のデータ放送表示システム。
【請求項４】
前記データ送信装置が、前記受信機の第１表示領域に表示されるデータ放送を所定の時間間隔で切り替えて該第１表示領域に異なる各種のデータ放送を順に表示させるデータ放送表示切替手段を含む請求項１ないし請求項３いずれかに記載のデータ放送表示システム。
【請求項５】
前記データ送信装置が、前記放送受信機の第１表示領域に表示されるデータ放送に関連した携帯向けサイトのＵＲＬを示す二次元バーコードを表示する第３表示領域を前記放送受信機の放送表示画面に割り当てる第３表示領域割当手段を含む請求項３または請求項４に記載のデータ放送表示システム。
【請求項６】
前記データ送信装置が、前記第３表示領域に表示される前記二次元バーコードを前記第１表示領域に表示される各種のデータ放送に対応するように切り替えて該第３表示領域に異なる各種の二次元バーコードを順に表示させるバーコード表示切替手段を含む請求項５記載のデータ放送表示システム。
【発明の詳細な説明】
【技術分野】
【０００１】
本発明は、各種複数のデータ放送を表示するデータ放送表示システムに関する。
【背景技術】
【０００２】
放送波を介して提供されるテレビ放送コンテンツと放送波またはインターネットを介して提供されるデータ放送コンテンツとを受信してそれらを同時に表示可能な表示端末装置と、表示端末装置からの要求に従ってデータ放送コンテンツをインターネットを介して表示端末装置に提供するデータ放送支援装置と、インターネット上に存在する複数の情報提供サーバとを備え、地上デジタル放送の携帯電話・移動体端末向けの１セグメント部分放送受信サービスを提供するデータ放送システムがある（特許文献１参照）。データ放送支援装置は、インターネットを介して情報提供サーバにアクセス可能であり、表示端末装置からアクセス要求を受けると、そのアクセス要求に従ってインターネットを介して情報提供サーバにアクセスしつつ情報の授受を行うアクセス実行部と、アクセス実行部の取得した情報を表示端末装置において表示させるためにインターネットを介して表示端末装置に送信する情報送信部とを有する。
【０００３】
このデータ放送システムは、自前の大量な専用コンテンツを持ちながらそのコンテンツを頻繁に更新するという非効率な手続を行う必要はなく、インターネット上の既存の有用な情報を有効に利用することができ、ワンセグ放送におけるデータ放送の内容の豊富化や即時性を実現することができる。また、情報提供サーバから取得した既存の携帯電話向けサイト等の情報がデータ放送支援装置から配信され、表示端末装置にデータ放送コンテンツとして表示されるから、表示端末装置にＷｅｂブラウザを起動することなく情報をＢＭＬブラウザで視ることができる。したがって、テレビ放送表示領域においてテレビ放送を視聴しつつ、既存の携帯電話向けサイトから取得した即時性のある情報をデータ放送表示領域において視ることができる。
【先行技術文献】
【特許文献】
【０００４】
【特許文献１】特開２００７−３３６２６４号公報
【発明の概要】
【発明が解決しようとする課題】
【０００５】
前記特許文献１に開示のデータ放送システムは、データ放送支援装置が１セグメント画面に対応するデータ放送コンテンツをインターネットを介して表示端末装置に提供し、そのデータ放送コンテンツが表示端末装置のデータ放送表示領域に表示される。このデータ放送システムは、デジタルテレビ規格によって作られた各種のデータ放送を１セグメント放送画面に対応させ、ワンセグ携帯電話のデータ放送表示画面に表示させることはできるが、それらデータ放送が放送表示画面のうちの所定の表示領域に対応せず、表示領域においてデータ放送を表示すると、そのデータ放送の文字や画像が不規則に重なり合った煩雑な画面になり、データ放送によって提供される情報を確認することが困難になったり、情報を確認することができなくなる場合がある。
【０００６】
本発明の目的は、各種複数のデータ放送を受信機の表示画面のうちの所定の表示領域の縦横の比率に合わせて表示することができ、データ放送によって提供される情報を明確に視認することできるデータ放送表示システムを提供することにある。
【課題を解決するための手段】
【０００７】
前記課題を解決するための本発明の前提は、各種のデータを送信するデータ送信装置と、データ送信装置から送信されたデータをデータ放送として受信しつつ、所定の表示画面に部分的に割り当てられた少なくとも１つの第１表示領域にデータ放送を表示する受信機とを備えたデータ放送表示システムである。
【０００８】
前記前提における本発明の特徴は、データ送信装置が、受信機の第１表示領域においてデータ放送を構成する文字と画像とを重ね合わせたときにそれらの重ね合わせ位置に誤差が生じないように、受信機の第１表示領域の縦横の比率に合わせて文字のフォントサイズを選択しつつそのフォントサイズを受信機に送信するフォントサイズ送信手段と、受信機の第１表示領域の縦横の比率に合わせて画像を拡大または縮小しつつその画像を受信機に送信する画像送信手段とを有し、受信機が、データ送信装置から受信したフォントサイズに対応した文字とデータ放送出力装置から受信した画像とを重ね合わせて第１表示領域に表示することにある。
【０００９】
本発明の一例としては、受信機の表示画面が１セグメント用表示画面と１２セグメント用表示画面とのいずれかである。
【００１０】
本発明の他の一例としては、受信機が、データ放送と独自放送と一般放送とを受信かつ放送可能な放送受信機であり、データ送信装置が、放送受信機の表示画面に第１表示領域を割り当てる第１表示領域割当手段と、放送受信機の表示画面に独自放送と一般放送とのうちの少なくとも一方を表示する第２表示領域を割り当てる第２表示領域割当手段とを含み、放送受信機が、第１表示領域にデータ放送を表示し、第２表示領域に独自放送と一般放送とのうちの少なくとも一方を表示する。
【００１１】
本発明の他の一例としては、データ送信装置が、受信機の第１表示領域に表示されるデータ放送を所定の時間間隔で切り替えて第１表示領域に異なる各種のデータ放送を順に表示させるデータ放送表示切替手段を含む。
【００１２】
本発明の他の一例としては、データ送信装置が、放送受信機の第１表示領域に表示されるデータ放送に関連した携帯向けサイトのＵＲＬを示す二次元バーコードを表示する第３表示領域を放送受信機の放送表示画面に割り当てる第３表示領域割当手段を含む。
【００１３】
本発明の他の一例としては、データ送信装置が、第３表示領域に表示される二次元バーコードを第１表示領域に表示される各種のデータ放送に対応するように切り替えて第３表示領域に異なる各種の二次元バーコードを順に表示させるバーコード表示切替手段を含む。
【発明の効果】
【００１４】
本発明に係るデータ放送表示システムによれば、受信機の第１表示領域において文字と画像とを重ね合わせたときにそれらの重ね合わせ位置に誤差が生じないように、データ送信装置が受信機の第１表示領域の縦横の比率に合わせて文字のフォントサイズを選択しつつそのフォントサイズを受信機に送信し、受信機の第１表示領域の縦横の比率に合わせて画像を拡大または縮小しつつその画像を受信機に送信するから、各種複数のデータ放送を構成する文字と画像とを重ね合わせたときにそれらの重ね合わせ位置に誤差が生じることはなく、データ放送が受信機の第１表示領域の大きさに対応し、第１表示領域にデータ放送の情報が整然かつ明確に表示され、データ放送によって提供される情報を確実に視認することできる。
【００１５】
受信機の放送表示画面が１セグメント用表示画面と１２セグメント用表示画面とのいずれかであるデータ放送表示システムは、それら表示画面に部分的に割り当てられた少なくとも１つの第１表示領域において、各種複数のデータ放送を構成する文字と画像とを重ね合わせたときにそれらの重ね合わせ位置に誤差が生じることはなく、データ放送が受信機の第１表示領域に対応し、第１表示領域にデータ放送の情報が整然かつ明確に表示され、データ放送によって提供される情報を確実に視認することできる。また、共通のデータ放送を１セグメント用表示画面や１２セグメント用表示画面の２つの表示画面のいずれにおいても明確に表示させることができる。
【００１６】
データ送信装置が放送受信機の放送表示画面にデータ放送を表示する第１表示領域を割り当てるとともに独自放送および一般放送のうちの少なくとも一方を表示する第２表示領域を割り当てるデータ放送表示システムは、放送受信機の放送表示画面が各種のデータ放送を表示する第１表示領域と独自放送および一般放送のうちの少なくとも一方を表示する第２表示領域とに区分され、１つの放送表示画面においてデータ放送とともに独自放送や一般放送を視ることができ、多種多様な情報を放送受信機の放送表示画面に表示することができる。このデータ放送表示システムは、各種複数のデータ放送を構成する文字と画像とを重ね合わせたときにそれらの重ね合わせ位置に誤差が生じることはなく、データ放送が受信機の第１表示領域の大きさに対応し、第１表示領域にデータ放送の情報が整然かつ明確に表示され、データ放送によって提供される情報を確実に視認することできる。
【００１７】
データ送信装置が受信機の第１表示領域に表示されるデータ放送を所定の時間間隔で切り替えて第１表示領域に異なる各種のデータ放送を順に表示させるデータ放送表示システムは、第１表示領域に表示されるデータ放送が所定の時間間隔で自動的に切り替わるから、第１表示領域においてデータ放送の多種多様な情報を視ることができる。また、第１表示領域に各種複数のデータ放送を表示することで、データ放送によって提供される情報に対する宣伝効果や付加価値を高めることができる。
【００１８】
データ送信装置が
放送受信機の第１表示領域に表示されるデータ放送に関連した携帯向けサイトのＵＲＬを示す二次元バーコードを表示する第３表示領域を放送受信機の放送表示画面に割り当てるデータ放送表示システムは、所持する携帯電話によって第３表示領域に表示される二次元バーコードを撮影することで、第１表示領域に表示されるデータ放送に関連した携帯向けサイトのＵＲＬを取得することができるから、取得したＵＲＬを利用して第１表示領域に表示されたデータ放送に関連した携帯向けサイトに再びアクセスすることができ、データ放送に関連した利用価値のある有益な携帯向けサイトを視ることができる。
【００１９】
データ送信装置が第３表示領域に表示される二次元バーコードを第１表示領域に表示される各種のデータ放送に対応するように切り替えて第３表示領域に異なる各種の二次元バーコードを順に表示させるデータ放送表示システムは、携帯電話によって第３表示領域に表示される各種の二次元バーコードを撮影することで、第１表示領域に表示されるデータ放送に関連した携帯向けサイトのＵＲＬを取得することができるから、取得したそれらＵＲＬを利用して第１表示領域に表示されたデータ放送に関連した携帯向けサイトに再びアクセスすることができ、第１表示領域に表示される各種のデータ放送に関連した利用価値のある有益な携帯向けサイトを視ることができる。
【図面の簡単な説明】
【００２０】
【図１】一例として示すデータ放送表示システムの概略構成図。
【図２】文字のフォントサイズの選択と画像の拡大または縮小を説明する図。
【図３】放送受信機および携帯電話の表示画面の一例を示す図。
【図４】放送受信機および携帯電話の表示画面の他の一例を示す図。
【発明を実施するための形態】
【００２１】
一例として示すデータ放送表示システム１０の概略構成図である図１等の添付の図面を参照し、本発明に係るデータ放送表示システムの詳細を説明すると、以下のとおりである。この実施の形態では、データ送信装置１２を管理する管理会社１１とカーディーラーの各営業所１３Ａ，１３Ｂとの間でネットワークが構築され、ネットワークを利用してカーディーラーの各営業所１３Ａ，１３Ｂにおいて各種情報を顧客に提供する場合を例として説明する。また、カーディーラーにおける各種複数のコマーシャルコンテンツおよびそれらコンテンツに関連する携帯向けサイトを各種情報とする。図１には、ショールーム１７に来店した顧客が所持する携帯電話２２が図示されている。携帯電話２２は、１セグメント用放送表示画面２３（１セグメント用液晶テレビ画面）を備えている。なお、このシステム１０の利用箇所をカーディーラーに限定するものではない。
【００２２】
データ放送表示システム１０は、図１に示すように、管理会社１１に設置されたデータ送信装置１２と、カーディーラーの各営業所１３Ａ，１３Ｂに設置されたメンテナンス端末装置１４およびチャンネル送出装置１５と、営業所１３Ａ，１３Ｂのショールーム１６に配置された放送受信機１７（テレビジョン）とから形成されている。データ送信装置１２やメンテナンス端末装置１４、チャンネル送出装置１５は、インターネット１８を介してネットワークを形成している。各営業所１３Ａ，１３Ｂには、それら装置１４，１５，１７の他に、一般放送（ＮＨＫ放送、民放放送）や独自放送を受信するアンテナ１９と、混合器２０および分配器２１とが設置されている。
【００２３】
データ送信装置１２は、中央処理部（ＣＰＵまたはＭＰＵ）とメモリとを備えたコンピュータであり、大容量ハードディスクを内蔵している。データ送信装置１２には、図示はしていないが、キーボードやマウス等の入力装置、ディスプレイやプリンタ等の出力装置がインターフェイスを介して接続されている。データ送信装置１２は、ＣＭＳサーバ機能、ＤＮＳサーバ機能、データベースサーバ機能、Ｗｅｂサーバ機能等を有し、メンテナンス端末装置１４からインターネット１８を介してコマーシャルコンテンツを受信する。データ送信装置１２は、インターネット１８を介してチャンネル送出装置１５にアクセス可能であり、メンテナンス端末装置１４から受信したコマーシャルコンテンツをデジタルテレビ規格に準拠して文字情報と画像ファイルとに区分し、その文字情報と画像ファイルとをチャンネル送出装置１５に送信する。
【００２４】
メンテナンス端末装置１４は、中央処理部（ＣＰＵまたはＭＰＵ）とメモリとを備えたコンピュータである。メンテナンス端末装置１４には、キーボードやマウス等の入力装置、ディスプレイやプリンタ等の出力装置がインターフェイスを介して接続されている。メンテナンス端末装置１４は、放送受信機１７にデータ放送として表示される各種複数のコマーシャルコンテンツを作成するとともに、それらコマーシャルコンテンツに関連した携帯向けサイトのＵＲＬを作成する。メンテナンス端末装置１４は、ＤＮＳサーバ機能、データベースサーバ機能、Ｗｅｂサーバ機能等を有し、インターネット１８を介してデータ送信装置１２にアクセス可能であり、作成した各種複数のコマーシャルコンテンツ（データ）およびＵＲＬ（データ）をデータ送信装置１２に送信する。なお、新たにＵＲＬを作成することなく、コマーシャルコンテンツに関連した既に存在する携帯向けサイトのＵＲＬをデータ送信装置１２に送信する場合もある。
【００２５】
メンテナンス端末装置１４において作成するコンテンツに特に限定はないが、カーディーラーを例として説明する関係上、その一例として販売車種の各種カタログ情報（文字）や車の各種画像を合成し、販売車種の各種複数のコマーシャルコンテンツを作成するものとする。コマーシャルコンテンツは、所定の縦横寸法（たとえば、Ｂ４サイズやＡ４サイズ、Ｂ５サイズ等）を有する複数頁のそれが作成され、メンテナンス端末装置１４のメモリに格納されるとともに、端末装置１４からデータ送信装置１２に送信される。コマーシャルコンテンツは、随時更新可能であり、更新されたそれがメンテナンス端末装置１４からデータ送信装置１２に送信される。
【００２６】
チャンネル送出装置１５は、所定のデータ（文字情報、文字のフォントサイズ、画像ファイル、二次元バーコード）を放送波に変換し、その放送波を混合器２０に出力する。混合器２０は、チャンネル送出装置１５から出力された放送波とアンテナ１９が受信した放送波とを混合して分配器２１に出力する。分配器２１は、混合機２０から出力された放送波を各放送受信機１７に出力する。
【００２７】
放送受信機１７は、データ放送と独自放送と一般放送とを受信可能であり、１２セグメント用放送表示画面２４（１２セグメント用液晶テレビ画面）を備えている。１２セグメント用放送表示画面２４には、各種複数のデータ放送を表示する２つの第１表示領域２５Ａ，２５Ｂと、独自放送や一般放送を表示する１つの第２表示領域２６と、第１表示領域２３Ａに表示されるそれらデータ放送（コマーシャルコンテンツ）に関連した携帯向けサイトのＵＲＬを示す二次元バーコードを表示する第３表示領域２７とが割り当てられている（図２参照）。表示画面２４には、それら領域２５Ａ，２５Ｂ，２６，２７の他に、複数のショートカットキー２８と複数のメニュー項目２９とが表示される（図３，４参照）。
【００２８】
データ送信装置１２のメモリの内部アドレスファイルには、ＣＭＳ（Contents  Management  System）アプリケーションが格納されている。データ送信装置１２の中央処理部は、オペレーティングシステムによる制御に基づいて、メモリの内部アドレスファイルに格納されたＣＭＳアプリケーションを起動し、起動したアプリケーションに従って、以下の各手段を実行する。データ送信装置１２の中央処理部は、メンテナンス端末装置１４から送信されたコマーシャルコンテンツをハードディスクに格納するコンテンツ記憶手段を実行する。中央処理部は、メンテナンス端末装置１４から送信された各ＵＲＬを示す二次元バーコードを作成するバーコード作成手段を実行し、二次元バーコードをＵＲＬとともにコマーシャルコンテンツに関連付けた状態でハードディスクに格納するバーコード記憶手段を実行する。
【００２９】
データ送信装置１２の中央処理部は、放送受信機１７の放送表示画面２４に少なくとも１つの第１表示領域２５Ａ，２５Ｂを割り当てる第１表示領域割当手段を実行する。第１表示領域２５Ａ，２５Ｂは、放送表示画面２４に部分的に割り当てられる。中央処理部は、放送受信機１７の放送表示画面２４に独自放送と一般放送とのうちの少なくとも一方を表示する第２表示領域２６を割り当てる第２表示領域割当手段を実行する。第２表示領域２６は、放送表示画面２４に部分的に割り当てられる。中央処理部は、放送受信機１７の第１表示領域２５Ａに表示される各種複数のデータ放送（コマーシャルコンテンツ）に関連した携帯向けサイトのＵＲＬを示す二次元バーコードを表示する第３表示領域２７を放送表示画面２４に割り当てる第３表示領域割当手段を実行する。第３表示領域２７は、放送表示画面２４に部分的に割り当てられる。
【００３０】
データ送信装置１２の中央処理部は、メンテナンス装置１４によって指定されたタイミングで、コマーシャルコンテンツ（データ）のうちの文字情報をチャンネル送出装置１５に送信する文字情報送信手段を実行するとともに、各コマーシャルコンテンツに対応する二次元バーコード（データ）をチャンネル送出装置１５に送信するバーコード送信手段を実行する。または、データ送信装置１２は、チャネル送出装置１５からコンテンツ送信要求があると、コマーシャルコンテンツＣのうちの文字情報をチャンネル送出装置１５に送信する文字情報送信手段を実行するとともに、各コマーシャルコンテンツＣに対応する二次元バーコードを送出装置１５に送信するバーコード送信手段を実行する。
【００３１】
データ送信装置１２の中央処理部は、文字情報送信手段およびバーコード送信手段と同時に、放送受信機１７の第１表示領域２５Ａ，２５Ｂにおいてデータ放送を構成する文字と画像とを重ね合わせたときにそれらの重ね合わせ位置に誤差が生じないように、放送受信機１７の第１表示領域２５Ａ，２５Ｂの縦横の比率に合わせて文字のフォントサイズを選択しつつ、選択したフォントサイズをチャンネル送出装置１５を介して放送受信機１７に送信するフォントサイズ送信手段を実行し、受信機１７の第１表示領域２５Ａ，２５Ｂの縦横の比率に合わせて画像を拡大または縮小しつつ、拡大または縮小した画像の画像ファイルをチャンネル送出装置１５を介して放送受信機１７に送信する画像ファイル送信手段を実行する。
【００３２】
データ送信装置１２の中央処理部は、放送受信機１７の第１表示領域２５Ａに表示されるデータ放送（コマーシャルコンテンツ）を所定の時間間隔で切り替えて第１表示領域２５Ａに異なる各種のデータ放送を順に表示させるデータ放送表示切替手段を実行する。中央処理部は、第３表示領域２７に表示される二次元バーコードを第１表示領域２５Ａに表示される各種のデータ放送（コマーシャルコンテンツ）に対応するように所定の時間間隔で切り替えて第３表示領域２７に異なる各種の二次元バーコードを順に表示させるバーコード表示切替手段を実行する。データ放送の表示切替時間（バーコードの表示切替時間を含む）は、たとえば、入力装置を介して４５秒や３分、１時間等の時分秒で任意に設定することができる。表示切替時間は、データ送信装置１２のハードディスクに格納される。
【００３３】
図２は、文字のフォントサイズの選択と画像の拡大または縮小を説明する図である。図３は、放送受信機１７および携帯電話２２の表示画面２３，２４の一例を示す図であり、図４は、放送受信機１７および携帯電話２２の表示画面２３，２４の他の一例を示す図である。なお、放送受信機１７の放送表示画面２４の縦のピクセル数Ｐ１は５４０であり、横のピクセル数Ｐ２は９６０である。携帯電話２２の放送表示画面２３の縦のピクセル数Ｐ３は４８０であり、横のピクセル数Ｐ４は２４０である。
【００３４】
データ送信装置１２は、放送受信機１７の放送表示画面２４に２つの第１表示領域２５Ａ，２５Ｂを割り当てる（第１表示領域割当手段）。なお、携帯電話２２の放送表示画面２３の表示領域３０（データ放送の表示領域３０）は事前に設定されている。放送受信機１７の一方の第１表示領域２５Ａの縦のピクセル数Ｐ５は２９７であり、横のピクセル数Ｐ６は２１０である。放送受信機１７の他方の第１表示領域２５Ｂおよび携帯電話２２の表示領域３０の縦のピクセル数Ｐ７，Ｐ９は１９８であり、横のピクセル数Ｐ８，Ｐ１０は１４０である。第１表示領域２５Ａ，２５Ｂや表示領域３０の縦横のピクセル数に特に限定はなく、それらのピクセル数を任意に設定することができる。データ送信装置１２は、放送受信機１７の放送表示画面２４に第２表示領域２６を割り当て（第２表示領域割当手段）、放送受信機１７の放送表示画面２４に第３表示領域２７を割り当てる（第３表示領域割当手段）。
【００３５】
メンテナンス端末装置１４において作られたコマーシャルコンテンツＣおよびＵＲＬ（既存のＵＲＬを含む）がインターネット１８を介して端末装置１４からデータ送信装置１２に送信されると、データ送信装置１２は、それらコンテンツＣをハードディスクに格納するとともに（コンテンツ記憶手段）、ＵＲＬを示す二次元バーコードを作成し（バーコード作成手段）、その二次元バーコードをハードディスクに格納する（バーコード記憶手段）。データ送信装置１２は、メンテナンス装置１４によって指定されたタイミングで、コマーシャルコンテンツＣのうちの文字情報をチャンネル送出装置１５に送信し（文字情報送信手段）、あわせて各コマーシャルコンテンツＣに対応する二次元バーコードを送出装置１５に送信する（バーコード送信手段）。あるいは、データ送信装置１２は、チャネル送出装置１５からのコンテンツ送信要求を待ち、チャネル送出装置１５からコンテンツ送信要求があると、コマーシャルコンテンツＣのうちの文字情報をチャンネル送出装置１５に送信し（文字情報送信手段）、あわせて各コマーシャルコンテンツＣに対応する二次元バーコードを送出装置１５に送信する（バーコード送信手段）。
【００３６】
データ送信装置１２は、文字情報およびバーコードの送信と同時に、コマーシャルコンテンツＣを形成する文字Ｍ１のフォントサイズを判定する。文字のフォントサイズは、デジタルテレビ規格によって規定されている。文字のフォントサイズには、１セグメント放送用では縦１６×横１６、縦２０×横２０、縦２４×横２４があり、１２セグメント放送用では１セグメント放送用のそれらフォントサイズに縦３２×横３２が加わる。データ送信装置１２は、コンテンツを形成する文字Ｍ１のフォントサイズをたとえば３２×３２と判断したものとする。
【００３７】
データ送信装置１２は、文字情報およびバーコードの送信と同時に、放送受信機１７の第１表示領域２５Ａ，２５Ｂにデータ放送を構成する文字が過不足なく納まり、第１表示領域２５Ａ，２５Ｂにおいてデータ放送を構成する文字Ｍ２と画像Ｇ２とを重ね合わせたときにそれらの重ね合わせ位置に誤差が生じないように、第１表示領域２５Ａの縦横の比率（縦横のピクセル数の比率）に合わせて文字Ｍ２のフォントサイズを選択し、そのフォントサイズをチャンネル送出装置１５を介して放送受信機１７に送信する（フォントサイズ送信手段）。なお、データ送信装置１２は、放送受信機１７の第１表示領域２５Ａの縦横の比率が小さいと判断し、コンテンツＣを構成する文字Ｍ２のフォントサイズとしてたとえば２４×２４を選択したものとする。
【００３８】
データ送信装置１２は、文字情報およびバーコードの送信と同時に、放送受信機１７の第１表示領域２５Ａにデータ放送を構成する画像Ｇ２が過不足なく納まり、第１表示領域２５Ａにおいてデータ放送を構成する文字Ｍ２と画像Ｇ２とを重ね合わせたときにそれらの重ね合わせ位置に誤差が生じないように、第１表示領域２５Ａの縦横の比率（縦横のピクセル数の比率）に合わせて画像Ｇ１を拡大または縮小し、拡大または縮小した画像Ｇ２の画像ファイルをチャンネル送出装置１５を介して放送受信機１７に送信する（画像ファイル送信手段）。なお、データ送信装置１２は、放送受信機１７の第１表示領域２５Ａの縦横の比率が小さいと判断し、コンテンツＣを形成する画像Ｇ１を所定のサイズに縮小したものとする。
【００３９】
データ送信装置１２は、文字情報およびバーコードの送信と同時に、一方の第１表示領域２５Ａの縦のピクセル数Ｐ５（２９７）と他方の第１表示領域２５Ｂの縦のピクセル数Ｐ７（１９８）とを比較し、それら表示領域２５Ａ，２５Ｂの縦のピクセル数Ｐ５，Ｐ７の比が３：２と判断し、一方の第１表示領域２５Ａの横のピクセル数Ｐ６（２１０）と他方の第１表示領域２５Ｂの横のピクセル数Ｐ８（１４０）とを比較し、それら表示領域２５Ａ，２５Ｂの横のピクセル数Ｐ６，Ｐ８の比が３：２と判断する。
【００４０】
データ送信装置１２は、一方の第１表示領域２５Ａに表示する文字Ｍ２のフォントサイズを２４×２４とした場合、他方の第１表示領域２５Ｂに表示する文字Ｍ３のフォントサイズとして、ピクセル数の比３：２に基づいて１６×１６を選択し、選択したフォントサイズ１６×１６をチャンネル送出装置１５を介して放送受信機１７に送信する（フォントサイズ送信手段）。あわせて、他方の第１表示領域２５Ｂに表示すべき画像Ｇ３をピクセル数の比３：２に基づいて画像Ｇ２よりもさらに縮小し、縮小した画像Ｇ３の画像ファイルをチャンネル送出装置１５を介して放送受信機１７に送信する（画像ファイル送信手段）。なお、ピクセル数の比として、３：２の他に、２：１や５：４、６：５、８：５等を使用することができる。
【００４１】
放送受信機１７は、チャンネル送出装置１５から出力されたフォントサイズ２４×２４に基づいてフォントサイズ２４×２４の文字Ｍ２を第１表示領域２５Ａに表示するとともに、チャンネル送出装置１５から出力された縮小画像Ｇ２を第１表示領域２５Ａに表示し、文字Ｍ２と画像Ｇ２とを重ね合わせ、それらから構成されるコマーシャルコンテンツＣを一方の第１表示領域２５Ａに表示する。また、チャンネル送出装置１５から出力されたフォントサイズ１６×１６に基づいてフォントサイズ１６×１６の文字を第１表示領域２５Ｂに表示するとともに、チャンネル送出装置１５から出力された縮小画像Ｇ３を第１表示領域２５Ｂに表示し、文字Ｍ３と画像Ｇ３とを重ね合わせ、それらから構成されるコマーシャルコンテンツＣを他方の第１表示領域２５Ｂに表示する。
【００４２】
放送受信機１７は、チャンネル送出装置１５から出力された独自放送または一般放送を第２表示領域２６に表示するとともに、チャンネル送出装置１５から出力された二次元バーコードを第３表示領域２７に表示する。ショートカットキー２８としては、営業所一覧、乗用車一覧、トラック一覧、営業車一覧、カー用品一覧が表示され、メニュー項目２９としては、乗用車一覧が表示されている。ショートカットキー２８から乗用車一覧を選択すると、一方の第１表示領域２５Ａには、図３に示すように、Ａ車のカタログ情報（文字）とＡ車の立体画像（画像）とが表示され、他方の第１表示領域２５Ｂには、販売車種（乗用車）の一覧（文字）と立体画像（画像）とが表示される。
【００４３】
ショートカットキー２８から営業所一覧を選択すると、各営業所の名称や住所、地図等が第１表示領域２５Ａ，２５Ｂに表示され、トラック一覧を選択すると、各種複数のトラックのカタログ情報（文字）やそれらトラックの立体画像（画像）が第１表示領域２５Ａ，２５Ｂに表示される。営業車一覧を選択すると、各種複数の営業車のカタログ情報（文字）やそれら営業車の立体画像（画像）が第１表示領域２５Ａ，２５Ｂに表示され、カー用品一覧を選択すると、各種複数のカー用品のカタログ情報（文字）やそれらカー用品の立体画像（画像）が第１表示領域２５Ａ，２５Ｂに表示される。メニュー項目からＡ車以外の車種を選択すると、一方の第１表示領域２５Ａに選択した車種のカタログ情報（文字）とその車種の立体画像（画像）とが表示される。
【００４４】
各営業所１３Ａ，１３Ｂに訪れた顧客が放送受信機１７の表示画面２４を視認しつつ、第１表示領域２５Ａに表示されたコマーシャルコンテンツＣを電子データとして持ち帰る場合は、所持する携帯電話２２を利用し、第１表示領域２５Ａに表示されているコマーシャルコンテンツＣを携帯電話２２のメモリに格納することができ、そのコンテンツＣを携帯電話２２の表示画面２３の表示領域３０に表示させることができる。この場合、ピクセル数の比３：２に基づいてフォントサイズ１６×１６が携帯電話２２に送信され（フォントサイズ送信手段）、あわせて、ピクセル数の比３：２に基づいて縮小された画像Ｇ３の画像ファイルが携帯電話２２に送信される（画像ファイル送信手段）。携帯電話２２は、フォントサイズ１６×１６に基づいてフォントサイズ１６×１６の文字Ｍ３を表示領域３０に表示するとともに、縮小画像Ｇ３を表示領域３０に表示し、文字Ｍ３と画像Ｇ３とを重ね合わせ、それらから構成されるコマーシャルコンテンツＣ（第１表示領域２５Ａに表示されるコンテンツＣと同一のコンテンツＣ）を表示領域３０に表示する。また、顧客は、携帯電話２２を利用して第３表示領域２７に表示された二次元バーコードを撮影することで、第１表示領域２５Ａに表示されたデータ放送（コマーシャルコンテンツＣ）に関連した携帯向けサイトのＵＲＬを取得することができる。
【００４５】
放送受信機１７は、Ａ車に関するデータ放送（コマーシャルコンテンツＣ）を表示してから所定時間経過後に、図４に示すように、第１表示領域２５Ａに表示されたＡ車のデータ放送をＢ車に関するデータ放送（コマーシャルコンテンツＣ）に切り替え、Ｂ車のデータ放送を第１表示領域２５Ａに表示する（データ放送表示切替手段）。さらに、第３表示領域２７に表示されたＡ車のＵＲＬを示す二次元バーコードをＢ車のＵＲＬを示すそれに切り替え、Ｂ車のＵＲＬを示す二次元バーコードを第３表示領域２７に表示する（バーコード表示切替手段）。
【００４６】
この場合において、放送受信機１７は、チャンネル送出装置１５から出力されたフォントサイズ２４×２４に基づいてフォントサイズ２４×２４の文字Ｍ２を第１表示領域２５Ａに表示するとともに、送出装置１５から出力された縮小画像Ｇ２を第１表示領域２５Ａに表示し、文字Ｍ２と画像Ｇ２とを重ね合わせ、それらから構成されるコマーシャルコンテンツＣを一方の第１表示領域２５Ａに表示する。第１表示領域２５Ａには、Ｂ車のカタログ情報（文字）とＢ車の立体画像（画像）とが表示される。
【００４７】
さらに、所定時間が経過すると、第１表示領域２５Ａに表示されたＢ車のデータ放送をＣ車に関するデータ放送（コマーシャルコンテンツＣ）に切り替え、Ｃ車のデータ放送を第１表示領域２５Ａに表示する（データ放送表示切替手段）。さらに、第３表示領域２７に表示されたＢ車のＵＲＬを示す二次元バーコードをＣ車のＵＲＬを示すそれに切り替え、Ｃ車のＵＲＬを示す二次元バーコードを第３表示領域２７に表示する（バーコード表示切替手段）。このように、Ａ車から順にＫ車に向かってデータ放送や二次元バーコードを順に切り替えて表示する。
【００４８】
データ放送表示システム１０は、放送受信機１７の第１表示領域２５Ａ，２５Ｂにおいて文字Ｍ２，Ｍ３と画像Ｇ２，Ｇ３とを重ね合わせたときにそれらの重ね合わせ位置に誤差が生じないように、データ送信装置１２が受信機１７の第１表示領域２５Ａ，２５Ｂの縦横の比率に合わせて文字のフォントサイズを選択しつつそのフォントサイズを受信機１７に送信し、受信機１７の第１表示領域２５Ａ，２５Ｂの縦横の比率に合わせて画像Ｇ１を拡大または縮小しつつ、その画像Ｇ２，Ｇ３の画像ファイルを受信機１７に送信するから、各種複数のデータ放送（コマーシャルコンテンツＣ）を構成する文字Ｍ２，Ｍ３と画像Ｇ２，Ｇ３とを重ね合わせたときにそれらの重ね合わせ位置に誤差が生じることはなく、データ放送が受信機１７の第１表示領域２５Ａ，２５Ｂの大きさに対応し、第１表示領域２５Ａ，２５Ｂにデータ放送の情報が整然かつ明確に表示され、データ放送によって提供される情報を確実に視認することできる。
【００４９】
データ放送表示システム１０は、たとえば３：２等の比を利用することで、共通のデータ放送（コマーシャルコンテンツＣ）を１２セグメント用表示画面２４や１セグメント用表示画面２３の２つの表示画面のいずれにおいても明確に表示させることができる。データ放送表示システム１０は、放送受信機１７の放送表示画面２４が各種のデータ放送を表示する第１表示領域２５Ａ，２５Ｂと独自放送および一般放送のうちの少なくとも一方を表示する第２表示領域２６とに区分され、１つの放送表示画面２４においてデータ放送とともに独自放送や一般放送を視ることができ、多種多様な情報を放送受信機１７の放送表示画面２４に表示することができる。
【００５０】
データ放送表示システム１０は、第１表示領域２５Ａに表示されるデータ放送（コマーシャルコンテンツＣ）が所定の時間間隔で自動的に切り替わるから、第１表示領域２５Ａにおいてデータ放送の多種多様な情報を視ることができ、第１表示領域２５Ａに各種複数のデータ放送を表示することで、データ放送によって提供される情報に対する宣伝効果や付加価値を高めることができる。データ放送表示システム１０は、携帯電話２２によって第３表示領域２７に表示される各種の二次元バーコードを撮影することで、第１表示領域２５Ａに表示される各種のデータ放送（コマーシャルコンテンツＣ）のＵＲＬを取得することができるから、取得したそれらＵＲＬを利用して第１表示領域２５Ａに表示されたデータ放送に関連した携帯向けサイトに再びアクセスすることができ、第１表示領域２５Ａに表示される各種のデータ放送に関連する利用価値のある有益な携帯向けサイトを視ることができる。また、第１表示領域２５Ａに表示された各種のデータ放送（コマーシャルコンテンツＣ）を携帯電話２２に格納することができ、さらに、その携帯電話２２の表示領域３０にデータ放送を明確に表示させることができるから、携帯電話２２によって持ち帰ったデータ放送を電話２２によって確実に視認することができる。
【００５１】
この実施の形態では、放送受信機１７の放送表示画面２４に２つの第１表示領域が割り当てられているが、画面２４に１つの第１表示領域が割り当てられていてもよく、画面２４に３つ以上の第１表示領域が割り当てられていてもよい。また、放送受信機１７の放送表示画面２４に第１表示領域のみが割り当てられ、画面２４に第２および第３表示領域が割り当てられていなくてもよい。データ送信装置１２とチャネル送出装置１５とが同一のユニット内に組み込まれ、そのユニットがカーディーラーの各営業所１３Ａ，１３Ｂに設置されていてもよい。
【符号の説明】
【００５２】
１０    データ放送表示システム
１２    データ送信装置
１４    メンテナンス装置
１５    チャネル送出装置
１７    放送受信機
１８    インターネット
２２    携帯電話
２３    表示画面
２４    放送表示画面
２５Ａ  第１表示領域
２５Ｂ  第１表示領域
２６    第２表示領域
２７    第３表示領域
【図１】
2010287921.tif 000003
【図２】
2010287921.tif 000004
【図３】
2010287921.tif 000005
【図４】
2010287921.tif 000006